(57)【要約】【課題】電池残量等の重要な状態パラメータの情報を簡単な操作で分かりやすく得ることのできる携帯機器の状態パラメータ告知装置を提供する。【解決手段】携帯機器に設けられ、当該携帯機器の状態に関するパラメータを操作者に告知する携帯機器の状態パラメータ告知装置において、携帯機器が操作者によって振られる動作を検出する振動検出部１１ａと、振られる動作が検出された時点での状態パラメータを検出する状態パラメータ検出部１１ｃと、音を発生させるスピーカ１６と、状態パラメータの値に応じた音を、振られる動作の振られるタイミングに合わせてスピーカ１６より発音させる発音制御部１１ｂと、を有する。【選択図】  図1
2011172033.tif 000002
【特許請求の範囲】
【請求項１】
携帯機器に設けられ、当該携帯機器の状態に関するパラメータを操作者に告知する携帯機器の状態パラメータ告知装置において、
上記携帯機器が操作者によって振られる動作を検出する振動検出部と、
上記振られる動作が検出された時点での上記状態パラメータを検出する状態パラメータ検出部と、
音を発生させる発音部と、
上記状態パラメータの値に応じた音を、上記振られる動作の振られるタイミングに合わせて上記発音部より発音させる発音制御部と、
を有することを特徴とする携帯機器の状態パラメータ告知装置。
【請求項２】
上記発音制御部は、上記状態パラメータの値に応じて音として、上記状態パラメータの値の大小を連想させるような擬声音を発生させることを特徴とする請求項１に記載の携帯機器の状態パラメータ告知装置。
【請求項３】
上記発音制御部は、上記擬声音として、容器に入った内容物が振動時に発生するような音を連想させる音を発生させることを特徴とする請求項２に記載の携帯機器の状態パラメータ告知装置。
【請求項４】
上記発音制御部は、上記状態パラメータの種類に応じて、異なる音を発音させることを特徴とする請求項１に記載の携帯機器の状態パラメータ告知装置。
【請求項５】
上記振動検出部は、上記振られる動作の種類として、当該携帯機器が振られる方向、あるいは当該携帯機器が振られる速度のいずれかを検出することを特徴とする請求項４に記載の状態パラメータ告知装置。
【請求項６】
上記状態パラメータ検出部は、上記状態パラメータとして、当該携帯機器に搭載される電池の残量、または当該携帯機器に搭載されるメモリの残量の少なくともいずれかを検出することを特徴とする請求項４に記載の携帯機器の状態パラメータ告知装置。
【請求項７】
上記振動検出部は、さらに上記振られる動作の種類を検出し、
上記状態パラメータ検出部は、上記振られる動作の種類に応じて、異なる種類の状態パラメータの値を検出し、
上記発音制御部は、上記検出された状態パラメータの種類に応じて、上記発音の内容を異ならせることを特徴とする請求項１に記載の携帯機器の状態パラメータ告知装置。
【請求項８】
携帯機器に設けられ、当該携帯機器の状態に関するパラメータを操作者に告知する携帯機器の状態パラメータ告知装置において、
上記携帯機器が操作者によって振られる動作を検出する振動検出部と、
上記振られる動作が検出された時点での上記状態パラメータを検出する状態パラメータ検出部と、
音を発生させる発音部と、
上記状態パラメータの値に応じた音として、上記状態パラメータの値の大小を連想させるような擬声音を、上記発音部により発音させる発音制御部と、
有することを特徴とする携帯機器の状態パラメータ告知装置。
【請求項９】
上記発音制御部は、上記状態パラメータの値に応じた音を、上記振られる動作の振られるタイミングに合わせて上記発音部より発音させるように制御することを特徴とする請求項８に記載の携帯機器の状態パラメータ告知装置。
【請求項１０】
上記請求項１〜９のいずれか１項に記載の携帯機器の状態パラメータ告知装置を備えることを特徴とするカメラ。
【発明の詳細な説明】
【技術分野】
【０００１】
本発明は、携帯機器の状態パラメータ告知装置に関し、詳しくは、カメラ等の携帯機器における電池残量やパラメータ残量等の状態パラメータの状態を告知するための携帯機器の状態パラメータ告知装置に関する。
【背景技術】
【０００２】
カメラやムービー等の携帯機器では、表示部に表示される携帯機器の情報の中で重要な情報、例えば、電池残量等の情報については、分かりやすく告知するために、音で告知することが提案されている。例えば、特許文献１には、電源オン時に基準音（フル充電に相当する音）を発生させ、続いて現在の電池残量に応じた音を発生させ、１回目と２回目の音の差によって、電池残量をユーザに知らせるカメラが提案されている。電池残量に応じた単独の音による告知では、電池残量の大小を認識し難いという問題があったが、特許文献１によれば、この問題を解決することができる。
【０００３】
また、カメラ等の携帯機器に情報を入力するにあたっては、操作釦によってなされていたが、近年、携帯機器の小型化に伴って、本体のタップ操作によって情報を入力することが提案されている。例えば、特許文献２には、カメラボディへのタップ操作の方向を検出して、この操作方向に応じて指示を入力するカメラが提案されている。
【先行技術文献】
【特許文献】
【０００４】
【特許文献１】特開２００３−３７９４３号公報
【特許文献２】特開２００９−３０２８０８号公報
【発明の概要】
【発明が解決しようとする課題】
【０００５】
特許文献１に提示されたカメラでは、電池残量を音で告知することができ確認し易いが、この告知は電源オンのタイミングのみである。このため、電池残量等の重要な状態パラメータの情報を、随時、必要なときに確認することができない。しかし、状態パラメータに関する情報を告知させるために、専用の釦を設けるとすると、携帯機器のサイズが大きくなり、操作性も悪くなる。一方、兼用釦での操作になると、その操作が煩雑になってしまう。特許文献２には、タップ操作で情報を入力することについて記載されているが、状態パラメータの告知については、開示されていない。
【０００６】
本発明は、このような事情を鑑みてなされたものであり、電池残量等の重要な状態パラメータの情報を簡単な操作で分かりやすく得ることのできる携帯機器の状態パラメータ告知装置を提供することを目的とする。
【課題を解決するための手段】
【０００７】
上記目的を達成するため第１の発明に係わる携帯機器の状態パラメータ告知装置は、携帯機器に設けられ、当該携帯機器の状態に関するパラメータを操作者に告知する携帯機器の状態パラメータ告知装置において、上記携帯機器が操作者によって振られる動作を検出する振動検出部と、上記振られる動作が検出された時点での上記状態パラメータを検出する状態パラメータ検出部と、音を発生させる発音部と、上記状態パラメータの値に応じた音を、上記振られる動作の振られるタイミングに合わせて上記発音部より発音させる発音制御部と、を有する。
【０００８】
第２の発明に係わる携帯機器の状態パラメータ告知装置は、上記第１の発明において、上記発音制御部は、上記状態パラメータの値に応じて音として、上記状態パラメータの値の大小を連想させるような擬声音を発生させる。
第３の発明に係わる携帯機器の状態パラメータ告知装置は、上記第２の発明において、上記発音制御部は、上記擬声音として、容器に入った内容物が振動時に発生するような音を連想させる音を発生させる。
【０００９】
第４の発明に係わる携帯機器の状態パラメータ告知装置は、上記第１の発明において、上記発音制御部は、上記状態パラメータの種類に応じて、異なる音を発音させる。
第５の発明に係わる携帯機器の状態パラメータ告知装置は、上記第４の発明において、上記振動検出部は、上記振られる動作の種類として、当該携帯機器が振られる方向、あるいは当該携帯機器が振られる速度のいずれかを検出する。
第６の発明に係わる携帯機器の状態パラメータ告知装置は、上記第４の発明において、上記状態パラメータ検出部は、上記状態パラメータとして、当該携帯機器に搭載される電池の残量、または当該携帯機器に搭載されるメモリの残量の少なくともいずれかを検出する。
【００１０】
第７の発明に係わる携帯機器の状態パラメータ告知装置は、上記第１の発明において、上記振動検出部は、さらに上記振られる動作の種類を検出し、上記状態パラメータ検出部は、上記振られる動作の種類に応じて、異なる種類の状態パラメータの値を検出し、上記発音制御部は、上記検出された状態パラメータの種類に応じて、上記発音の内容を異ならせる。
【００１１】
第８の発明に係わる携帯機器の状態パラメータ告知装置は、携帯機器に設けられ、当該携帯機器の状態に関するパラメータを操作者に告知する携帯機器の状態パラメータ告知装置において、上記携帯機器が操作者によって振られる動作を検出する振動検出部と、上記振られる動作が検出された時点での上記状態パラメータを検出する状態パラメータ検出部と、音を発生させる発音部と、上記状態パラメータの値に応じた音として、上記状態パラメータの値の大小を連想させるような擬声音を、上記発音部により発音させる発音制御部と、有する。
【００１２】
第９の発明に係わる携帯機器の状態パラメータ告知装置は、上記第８の発明において、上記発音制御部は、上記状態パラメータの値に応じた音を、上記振られる動作の振られるタイミングに合わせて上記発音部より発音させるように制御する。
第１０の発明に係わるカメラは、上記第１〜９発明のいずれかの携帯機器の状態パラメータ告知装置を備える。
【発明の効果】
【００１３】
第１の発明によれば、電池残量等の重要な状態パラメータの情報を簡単な操作で分かりやすく得ることのできる携帯機器の状態パラメータ告知装置を提供することができる。また、振る動作のタイミングに合わせて状態パラメータの音を出すので、操作を覚えやすい。なお、状態パラメータの値は、振られた時点で直接、検出するようにしてもよいが、振られた時点よりも前に検出したデータがあれば、そのデータで代用しても勿論かまわない。
【００１４】
また、第２の発明によれば、説明者を見ることなく、音のもつ意味から、残量の多寡を容易に理解することができる。
さらに、第３の発明によれば、音を聞けば、説明なしでも残量を感覚的に把握することができる。
【００１５】
さらに、第４の発明によれば、音の種類によって、複数の種類の状態パラメータを確認することができる。
さらに、第５の発明によれば、振れられる方向と振られる速度によって状態パラメータの選択を行うことができ、撮影者の好みに合わせて選択の種類を増やすことができる。
さらに、第６の発明によれば、携帯機器として重要なパラメータについて、簡単な操作でその値を把握することができ、扱いやすい環境を実現できる。
さらに、第７の発明によれば、振り方の選択によって知りたい状態パラメータの選択が簡単にでき、他のボタン操作の併用が不要となり便利である。
【００１６】
さらに、第８の発明によれば、電池残量等の重要な状態パラメータの情報を簡単な操作で分かりやすく得ることのできる携帯機器の状態パラメータ告知装置を提供することができる。
さらに、第９の発明によれば、振る動作のタイミングに合わせて状態パラメータの音を出すので、操作を覚えやすい。
さらに、第１０の発明によれば、状態パラメータの情報を簡単な操作で分かりやすく得ることのできるカメラを提供することができる。
【図面の簡単な説明】
【００１７】
【図１】本発明の一実施形態に係わるカメラの主として電気回路の構成を示すブロック図である。
【図２】本発明の一実施形態に係わるカメラの外観斜視図であり、（ａ）はカメラの背面側から見た外観斜視図であり、（ｂ）は振動検出部によって振動検出がなされる方向を示す図ある。
【図３】本発明の一実施形態に係わるカメラにおいて、振る動作によって状態パラメータの告知を行う様子を示す図であって、（ａ）は上下に振る動作であり、（ｂ）は前後に振る動作を示す図である。
【図４】本発明の一実施形態に係わるカメラにおいて、振る動作によって状態パラメータの告知を行う様子を示す図であって、（ａ）は速く振る動作の場合であり、（ｂ）は遅く振る動作の場合を示す図である。
【図５】本発明の一実施形態に係わるカメラにおいて、振る動作によって状態パラメータの告知を行う様子を示す図であって、（ａ）は上から下に振る動作であり、（ｂ）は下から上に振る動作を示す図である。
【図６】本発明の一実施形態に係わるカメラにおいて、擬声語で状態パラメータを告知する場合の組合せを示す図であって、（ａ）は擬声語パラメータと擬声語の組合せ関係を示す図であり、（ｂ）は発音パターンと振る動作の関係を示す図である。
【図７】本発明の一実施形態に係わるカメラの動作を示すフローチャートである。
【図８】本発明の一実施形態に係わるカメラの動作を示すフローチャートである。
【発明を実施するための形態】
【００１８】
本発明の好ましい一実施形態に係わるカメラは、デジタルカメラであり、大略、撮像部を有し、この撮像部によって被写体像を画像データに変換し、この変換された画像データに基づいて、被写体像を本体の背面に配置した画像表示部にライブビュー表示する。撮影者はライブビュー表示を観察することにより、構図やシャッタチャンスを決定する。レリーズ操作時には、画像データが画像記憶部中の記録媒体に記録される。記録媒体に記録された画像データは、再生モードを選択すると、画像表示部に再生表示することができる。また、カメラの本体を振ると、電池残量等の状態パラメータのレベルに応じた音のパターンでユーザに告知する。
【００１９】
以下、図面に従って本発明を適用したカメラを用いて好ましい実施形態について説明する。図１は、本発明の一実施形態に係わるカメラ１０の構成を示すブロック図である。制御部（ＣＰＵ：Central Processing Unit）１１は、プログラム／データ記憶部１２に記憶された制御プログラムに従って動作し、カメラ１０の全体制御を行う。制御部１１内には、振動検出部１１ａ、発音制御部１１ｂ、状態パラメータ検出部１１ｃが設けられている。制御部１１内の１１ａ〜１１ｃは、制御プログラムにより実行される処理の一部であるので、特徴的な処理について制御部１１に含まれる機能部として説明する。
【００２０】
振動検出部１１ａは、携帯機器であるカメラ１０が操作者によって振られる動作を検出する検出部であって、後述する加速度センサ１４からの検出出力を入力し、カメラ１０の本体に加えられている動作の方向や状態、例えば、上下の振り、前後の振り等の振られる方向や、速い振り、遅い振り等の振りの速度等、を検出する。
【００２１】
状態パラメータ検出部１１ｃは、撮影者によって振られる動作が振動検出部１１ａによって検出された時点での上記状態パラメータを検出する。具体的には、電源用の電池２８の電池残量のレベルを電源部２９を介して、また画像記憶部２５のメモリ残量のレベルを記録再生部２４を介して、それぞれ検出する。なお、電池残量に関しては定期的に検出され保存された残量データを、撮影者がカメラ１０を振ったことを検出した時点で読み出すようにする。もちろん振動検出時にその都度、電源部２９より電池残量を読み出すようにしてもよい。
【００２２】
発音制御部１１ｂは、状態パラメータの値に応じた擬声語を、振られる動作の振られるタイミングに合わせてスピーカ１６より発音させる。具体的には、メニュー画面によって設定された擬声語パターン１〜３および発音パターンＡ〜Ｅと、振動検出部１１ａによって検出された撮影者によるカメラ１０の振りの動作と、状態パラメータ検出部１１ｃによって検出された状態パラメータのレベルに基づいて、擬声語の発音を行わせる。この擬声語は、状態パラメータの値の大小を連想させるような擬声語を発生させる。また、擬声語は、容器に入った内容物が振動時に発生するような音を連想させる音を発生させる。さらに、擬声語は、状態パラメータの種類に応じて、異なる音を発音させる。
【００２３】
制御部１１には、プログラム及びデータ記憶部１２、操作部１３、加速度センサ１４、発音処理部１５、電源部２９、及びバス３０が接続されている。プログラム及びデータ記憶部１２には前述したように制御部１１において実行するプログラムが記憶されており、また各種データも記憶されている。さらに、プログラム／データ記憶部１２には、状態パラメータのレベルを告知する際に使用する擬声語を、発音させるためのデータが記憶されている。操作部１３は、ユーザがカメラに指示を与えるための各種操作部材を含み、電源釦、レリーズ釦１３ａ、メニュー釦１３ｂ、ＯＫ釦１３ｃ等（図２（ａ）参照）を有する。
【００２４】
加速度センサ１４は、カメラ１０に加えられた加速度を検出するセンサであり、カメラ１０の上下方向、左右方向、前後方向の３方向（図２（ｂ）参照）に沿っての加速度を検出するため、３つの加速度センサが配置されている。なお、カメラ１０に加えられた振る動作を検出できるものであれば、加速度センサに限らず、例えば、角加速度センサやジャイロ等のセンサであってもよい。
【００２５】
発音処理部１５は、発音制御部１１ｂからの制御命令と、プログラム／データ記憶部１２に記憶された擬声語を発音させるためのデータとに基づいて、スピーカ１６に対して擬音語を発音するための音声アナログ信号を出力する。スピーカ１６は発音処理部１５に接続されており、発音処理部１５からの音声アナログ信号に基づいて、擬音語等を発音する。また、スピーカ１６は、本実施形態においては、図２（ａ）に示すように、カメラ１０の本体の上面に配置しているが、撮影者が音を聞ける位置であれば、他の位置に配置してもかまわない。
【００２６】
電池２８は、カメラ１０の電源供給用の電池であり、電源部２９に接続されている。電源部２９は、制御部１１からの制御命令に応じて、電池２８の電源電圧をカメラ１０内の各部に供給する。また、電源部２９は、状態パラメータ検出部１１ｃからの制御命令に従って、電池２８の電池残量を検出し、状態パラメータ検出部１１ｃに電池残量のレベルを出力する。
【００２７】
バス３０には、前述の制御部１１の他に、撮像部２０、ＳＤＲＡＭ２１、画像処理部２２、圧縮伸張部２３、表示処理部２６が接続されている。撮像部２０は、被写体像を結像させるための撮影レンズ、被写体像を画像データに変換するための撮像素子、及びこれらの処理回路、撮影レンズの光路中に介挿された絞り及びシャッタ等を含む。また、撮影レンズの焦点距離を変化させる焦点距離調整機構を有する。撮像部２０によって生成された画像データはバス３０に出力される。
【００２８】
ＳＤＲＡＭ（Dynamic Random Access Memory）２１は電気的に書き換え可能な揮発性の一時記憶メモリであり、撮像部２０から出力される静止画や動画の画像データ等の一時記憶に用いられる。画像処理部２２は、画像データのデジタル的増幅（デジタルゲイン調整処理）、ホワイトバランス、色補正、ガンマ（γ）補正、コントラスト補正、ライブビュー表示用画像生成、記録用静止画像生成、動画画像生成等の各種の画像処理を行なう。
【００２９】
圧縮伸張部２３はＳＤＲＡＭ２１に一時記憶された静止画や動画の画像データをＪＰＥＧやＴＩＦＦ等の圧縮方式により圧縮し、また表示等のために伸張する回路である。なお、画像圧縮はＪＰＥＧやＴＩＦＦに限らず、他の圧縮方式も適用できる。
【００３０】
圧縮伸張部２３に接続された記録再生部２４は、圧縮伸張部２３において圧縮された画像データを画像記憶部２５に記憶し、また、画像記憶部２５に記憶された撮影画像の画像データを読み出す。この読み出された画像データは、圧縮伸張部２３において伸張され、この伸張された画像データに基づいて、表示部２７に画像が再生表示される。また、記録再生部２４は、状態パラメータ検出部１１ｃからの制御命令に応じて、画像記憶部２５のメモリ残量のレベルを検知し、状態パラメータ検出部１１ｃに出力する。画像記憶部２５は、記録再生部２４に接続されており、デジタルカメラ本体に内蔵、または装填可能な画像データの記録媒体である。
【００３１】
表示処理部２６は、撮影時にはライブビュー表示を、再生時には再生画像を、表示部２７に表示させる。また、表示処理部２６は、制御部１１からの制御命令に基づき、メニュー画面を作成し、表示部２７に表示する。メニュー画面は、操作部１３のメニュー釦１３ｂが操作されたことを制御部１１が検知すると作成され、このメニュー画面では、図６を用いて後述する擬声語パターン１〜３および発音パターンＡ〜Ｅの選択を行うことができる。
【００３２】
表示部２７は、表示処理部２６に接続されており、カメラ１０の本体の背面等に図２（ａ）に示すように配置された液晶モニタや有機ＥＬ等のディスプレイを有する。表示処理部２６の制御によりディスプレイの画面にライブビュー画像、記録済み画像の再生画像、メニュー画面等の所定の画像が表示される。
【００３３】
次に、状態パラメータの告知の仕方について、図３ないし図６を用いて説明する。まず、図６（ａ）を用いて、擬音語パターンについて説明する。撮影者は、予めメニュー画面において、擬音語パターン１〜３のいずれかを選択する。例えば、擬音語パターン１が選択されている場合に、状態パラメータとして電池残量のレベルが大であることを告知する場合には、擬声語として「タプタプ」が、また、電池残量レベルが中である場合には「チャプチャプ」が、また、電池残量レベルが小である場合には「ピチャピチャ」が、それぞれスピーカ１６によって発音される。
【００３４】
擬音語パターン１が選択され、状態パラメータとしてメモリ残量を告知する場合には、状態パラメータ検出部１１ｃによってメモリ残量のレベルが大であると判定された場合には、擬声語として「ゴロンゴロン」が、また、メモリ残量レベルが中である場合には「ゴロゴロ」が、また、メモリ残量レベルが小である場合には「コロコロ」が、それぞれスピーカ１６によって発音される。
【００３５】
図６（ａ）に表示されているように、擬音語パターン１〜３によって、擬声語は変わるが、一般に、電池残量を告知する場合には、液体系の音、すなわち、容器の中に入っている液体が、容器が振動されることによって発するような擬声語が割り当てられており、残量レベルは容器中の液体の量を表わすような擬声語となるようにしている。また、メモリ残量を告知する場合には、固体系の音、すなわち、容器の中に入っている固形物が、容器が振動されることによって発生するような擬声語が割り当てられており、残量のレベルは容器中の固形物の量を表わすような擬声語となるようにしている。
【００３６】
なお、擬声語パターンは、本実施形態においては、３通りとしているが、これは撮影者の好みに応じた擬声語を選択できるようにしたものであり、これよりも擬声語パターンは多くても少なくても構わない。また、擬声語は、図６（ａ）に示したものに限られない。
【００３７】
次に、図６（ｂ）を用いて、電池残量とメモリ残量の告知の切換えについて説明する。カメラ１０の振りのパターンは発音パターンＡ〜Ｅの５通りが設けられている。この発音パターンは、擬声語パターンの場合と同様に、メニュー画面で予め設定しておき、振動検出部１１ａによって、予め設定されている発音パターンで振りがなされているか否かを判定する。
【００３８】
例えば、発音パターンＡが設定されている場合に、カメラ１０が上下に振られていることを振動検出部１１ａによって検出されると、スピーカ１６を通じて電池残量を告知する。このときの電池残量は状態パラメータ検出部１１ｃが検出し、図６（ａ）で説明したように残量に応じた擬声語で告知する。つまり、電池残量を告知させるためには、ユーザは設定されている発音パターンに従って、速い振り、上から下のタイミング、被写体から自分への方向等のいずれかの動きを行えばよい。
【００３９】
一方、発音パターンＡが設定されている場合に、カメラ１０が前後に振られた場合には、スピーカ１６を通じてメモリ残量を告知する。このときのメモリ残量も状態パラメータ検出部１１ｃが検出し、図６（ａ）で説明したように残量に応じた擬声語で告知する。つまり、メモリ残量の告知させるためには、ユーザは設定されている発音パターンに従って、遅い振り、下から上のタイミング、自分から被写体への方向等のいずれかの動きを行えばよい。また、方向を問わず、カメラ１０を振っている場合には、その間、電池残量の擬声語の音とメモリ残量の擬声語の音が交互に発生されるパターンも用意されている（パターンＥ）。
【００４０】
図６（ａ）（ｂ）に示される条件に沿って、具体的な事例について説明する。図３は発音パターンＡおよび擬声語パターン１が予め選択され、撮影者がカメラ１０を振って状態パラメータの確認を行っている様子を示している。図３（ａ）は、撮影者が電池残量を確認するために、カメラ１０を上下に振っている様子を示す。この振り動作は、振動検出部１１ａによって検出され、発音制御部１１ｂに伝えられ、発音制御部１１ｂは状態パラメータ検出部１１ｃから電池残量のレベルを取得する。図示の例では、電池残量のレベルが大であることから、発音処理部１５は電池残量大に対応する「タプタプ」を発音するためのデータを、プログラム／データ記憶部１２から取得し、スピーカ１６から「タプタプ」という擬声語を発音させる。
【００４１】
また、図３（ｂ）は、撮影者がメモリ残量を確認するために、カメラ１０を前後に振っている様子を示す。この前後の振り動作がなされると、上下の振り動作の場合と同様の処理がなされる。図示の例では、メモリ残量のレベルが大であることから、発音処理部１５はメモリ残量大に対応する「ゴロンゴロン」を発音するためのデータを、プログラム／データ記憶部１２から取得し、スピーカ１６から「ゴロンゴロン」という擬声語を発音させる。
【００４２】
次に、図４に示される例を説明する。この例では、発音パターンＢおよび擬声語パターン２がメニュー画面で予め設定されている。この場合、振動検出部１１ａによって速い振動を検出すると、電池残量の告知を行う。図４（ａ）の例では、電池残量が中であることから、擬声語として、「トプトプ」が発音される。また、振動検出部１１ａによって遅い振動を検出すると、メモリ残量の告知を行う。図４（ｂ）の例では、メモリ残量が大であることから、「ゴロゴロ」が発音される。
【００４３】
次に図５に示される例を説明する。この例では、発音パターンＣおよび擬声語パターン３がメニュー画面で予め設定されている。この場合、振動検出部１１ａによって上から下への振り動作を検出すると、電池残量の告知を行う。図５（ａ）の例では、電池残量が小であることから、擬声語として、「ポタポタ」が発音される。また、振動検出部１１ａによって下から上への振り動作を検出すると、メモリ残量の告知を行う。図５（ｂ）の例では、メモリ残量が小であることから、擬声語として「スカスカ」が発音される。
【００４４】
なお、図３ないし図５において説明した例では、発音パターンＡ〜Ｅで設定されている振り動作に応じて、電池残量やメモリ残量を擬声語で告知していた。しかし、振り動作のみで状態パラメータの告知を行うとすると、カメラ１０の動きに応じて、撮影者の意図しないタイミングでスピーカ１６から告知される可能性がある。そこで、ＯＫ釦１３ｃ等の操作部材を押しながら、振り動作を実行した場合のみ、電池残量やメモリ残量等の状態パラメータを告知するようにしてもよい。
【００４５】
次に、本実施形態の状態パラメータの告知を行うためのフローについて、図７および図８に示すフローチャートを用いて説明する。このフローはプログラム／データ記憶部１２に記憶されているプログラムに従って制御部１１によって実行される。このパラメータ告知のためのフローに入ると、まず、振動検出されたか否かを判定する（Ｓ１１）。ここでは、振動検出部１１ａによって、カメラ１０に、上下、左右、または前後のいずれかの方向に動きがあったか否かを判定する。
【００４６】
ステップＳ１１における判定の結果、振動が検出された場合には、次に、発音パターンはＡか否かの判定を行う（Ｓ１２）。前述したように発音パターンの設定は、メニュー画面から行うので、このステップでは、メニュー画面によって設定されている発音パターンがパターンＡか否かの判定を行う。発音パターンＡが設定されている場合には、図６（ｂ）に示すように、上下振りの場合には電池残量の表示を行い、前後振りの場合にはメモリ残量の表示を行う。
【００４７】
ステップＳ１２における判定の結果、発音パターンがＡであった場合には、次に、振動は上下方向か否かの判定を行う（Ｓ１３）。ここでは、振動検出部１１ａによる検出結果に基づいて判定する。この判定の結果、振動は上下方向であった場合には、次に、電池残量の読出しを行う（Ｓ１４）。ここでは、状態パラメータ検出部１１ｃは電源部２９から電池２８の残量に関する情報を取得する。
【００４８】
電池残量の読出しを行うと、次に、擬声語テーブルから電池残量に応じた音声データの読出しを行う（Ｓ１５）。ここでは、ステップＳ１４において読み出された電池残量と、予め設定されている擬声語パターンに基づいて、図６（ａ）に示すテーブルから対応する擬声語の音声データをプログラム／データ記憶部１２から読み出す。
【００４９】
音声データの読出しを行うと、次に、振動に合わせて発音を行う（Ｓ１６）。ここでは、振動検出部１１ａによって検出されたカメラ１０の動きに合わせて、音声データに基づいて擬声語をスピーカ１６から発音してもよいし、振動の動きを記憶しておいて、振動終了直後に、振動の動き（タイミング）に合わせたリズムで、擬声語を繰り返し発音させるようにしてもよい。
【００５０】
ステップＳ１３における判定の結果、振動は上下方向でなかった場合には、次に、振動は前後方向か否かの判定を行う（Ｓ１７）。ここでは、振動検出部１１ａによる検出結果に基づいて判定する。この判定の結果、振動は前後方向であった場合には、次に、メモリ残量の読出しを行う（Ｓ１８）。ここでは、状態パラメータ検出部１１ｃは記録再生部２４から画像記憶部２５のメモリの残量に関する情報を取得する。
【００５１】
メモリ残量の読出しを行うと、次に、擬声語テーブルからメモリ残量に応じた音声データの読出しを行う（Ｓ１９）。ここでは、ステップＳ１８において読み出されたメモリ残量と、予め設定されている擬声語パターンに基づいて、図６（ａ）に示すテーブルから対応する擬声語の音声データをプログラム／データ記憶部１２から読み出す。ステップＳ１９において音声データを読み出すと、前述のステップＳ１６に進み、振動に合わせて擬声語をスピーカ１６から発音させる。
【００５２】
ステップＳ１２における判定の結果、発音パターンがＡでなかった場合には、次に、発音パターンがＢであるか否かを判定する（Ｓ２０）。このステップでは、メニュー画面によって設定されている発音パターンがパターンＢか否かの判定を行う。発音パターンＢが設定されている場合には、図６（ｂ）に示すように、速い振りの場合には電池残量の表示を行い、遅い振りの場合にはメモリ残量の表示を行う。
【００５３】
ステップＳ２０における判定の結果、発音パターンがＢであった場合には、次に、振動の速度が速いか否かを判定する（Ｓ２１）。ここでは、振動検出部１１ａによる検出結果に基づいて判定する。なお、速い振りか遅い振りかを判定するための速度値を予め設計値として設定しておく。
【００５４】
ステップＳ２１における判定の結果、振動が速い振りであった場合には、電池残量の告知を行うために、前述のステップＳ１４に進み、電池残量を読出し、電池残量に応じた擬声語を発音する（Ｓ１５、Ｓ１６）。一方、ステップＳ２１における判定の結果、振動が遅かった場合には、メモリ残量の告知を行うために、ステップＳ１８に進み、メモリ残量を読出し、メモリ残量に応じた擬声語を発音する（Ｓ１９、Ｓ１６）。
【００５５】
ステップＳ２０における判定の結果、発音パターンがＢでなかった場合には、発音パターンはＣ、Ｄ、Ｅのいずれかであるとし、次に、電池残量およびメモリ残量の読出しを行う（Ｓ３１）。ここでは、状態パラメータ検出部１１ｃは電源部２９から電池２８の残量に関する情報を取得し、また記録再生部２４から画像記憶部２５のメモリの残量に関する情報を取得する。
【００５６】
続いて、擬声語テーブルから電池残量およびメモリ残量に応じた音声データの読出しを行う（Ｓ３２）。ここでは、ステップＳ３２において読み出された電池残量およびメモリ残量と、予め設定されている擬声語パターンに基づいて、図６（ａ）に示すテーブルから対応する擬声語の音声データをプログラム／データ記憶部１２から読み出す。
【００５７】
音声データの読出しを行うと、次に、発音パターンはＣか否かの判定を行う（Ｓ３３）。このステップでは、メニュー画面によって設定されている発音パターンがパターンＣか否かの判定を行う。発音パターンＣが設定されている場合には、図６（ｂ）に示すように、上から下のタイミングで電池残量の告知を行い、下から上のタイミングでメモリ残量の告知を行う。
【００５８】
ステップＳ３３における判定の結果、発音パターンがＣであった場合には、次に、振りが上から下への方向か否かの判定を行う（Ｓ３４）。ここでは、振動検出部１１ａによる検出結果に基づいて判定する。この判定の結果、振りが上から下への方向であった場合には、下位置に来た時に、電池残量の擬声語を発音する（Ｓ３５）。ここでは、ステップＳ３１において読み出された電池残量と、ステップＳ３２において読出された擬声語パターンの音声データに基づいて、擬声語をスピーカ１６から発音する。
【００５９】
ステップＳ３４における判定の結果、振りは上から下への方向でなかった場合には、次に、振りが上位置に来た時に、メモリ残量の擬声語を発生する（Ｓ３６）。ここでは、ステップＳ３１において読み出されたメモリ残量と、ステップＳ３２において読出された擬声語パターンの音声データに基づいて、擬声語をスピーカ１６から発音する。
【００６０】
ステップＳ３３における判定の結果、発音パターンがＣでなかった場合には、次に、発音パターンがＤであるか否かの判定を行う（Ｓ３７）。ここでは、メニュー画面によって設定されている発音パターンがパターンＤか否かの判定を行う。発音パターンＤが設定されている場合には、図６（ｂ）に示すように、被写体から自分の方向である場合に電池残量の告知を行い、自分から被写体への方向でメモリ残量の告知を行う。
【００６１】
ステップＳ３７における判定の結果、発音パターンがＤであった場合には、次に、振りが手前への方向であるか否かの判定を行う（Ｓ３８）。ここでは、振動検出部１１ａによる検出結果に基づいて判定する。この判定の結果、振りが手前の方向であった場合には、次に、前述のステップＳ３５に進み、電池残量に応じた擬声語を発音する。一方、ステップＳ３８における判定の結果、振りが手前への方向でなかった場合には、前述のステップＳ３６に進み、メモリ残量に応じた擬声語を発音する。
【００６２】
ステップＳ３７における判定の結果、発音パターンがＤでなかった場合には、次に、振りに合わせて電池残量とメモリ残量の擬声語を交互に発音する（Ｓ３９）。この場合には、発音パターンはＥであることから、方向を問わず、カメラ１０を振っている間、電池残量とメモリ残量の擬声語が交互に発音される。すなわち、ステップＳ３１において読み出した電池残量とメモリ残量の情報に基づいて、図６（ａ）に示す擬声語のテーブルから読み出した擬声語を交互にスピーカ１６から発音する。
【００６３】
ステップＳ３５、Ｓ３６、Ｓ３９、Ｓ１６における発音を行った後、または、ステップＳ１７における判定の結果、振動が前後方向でなかった場合には、次に、電源オフか否かの判定を行う（Ｓ２２）。ここでは、操作部１３の電源釦の操作状態を判定し、電源オフか否かを判定する。この判定の結果、電源オフでなかった場合には、ステップＳ１１に戻る。一方、電源オフであった場合には、このフローを終了する。
【００６４】
以上説明したように、本発明の一実施形態においては、カメラ等の携帯装置が操作者によって振られる動作を検出し、この振られる動作に応じて状態パラメータを検出し、検出された状態パラメータに応じた擬声音を発音するようにしている。このため、電池残量等の重要な状態パラメータの情報を簡単な操作で分かりやすく得ることができる。
【００６５】
なお、本実施形態においては、状態パラメータとして、電池残量およびメモリ残量の両方を告知するようにしていたが、いずれか一方でもよく、また他の状態パラメータを告知するようにしても勿論かまわない。また、擬声語の発音タイミングを振動に合わせるように説明したが（ステップＳ１６）、振動とは無関係に一定のリズムで発音させるようにしてもよい。
【００６６】
また、本実施形態においては、タプタプ等、擬声語を発音していたが、これに限らず、言葉になっていなくても、パラメータの大小や種類等を識別できるような擬声音であれば、勿論かまわない。また、擬声音の発生時に、擬声音の言葉（図６（ａ）参照）や対応するアイコンを画面に表示させるようにしてもよい。
【００６７】
さらに、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。いずれにしても、状態パラメータを表示するような携帯機器であれば、本発明を適用することができる。
【００６８】
さらに、本実施形態では、携帯機器としてカメラを用いて説明した、これに限らず、携帯電話、ノートパソコン、携帯音楽機器、ビデオカメラ、ＩＣレコーダ等の携帯機器であれば、本発明を適用することができる。さらに、電池残量を表示するのであれば、充電式湯たんぽ、懐中電灯、ラジオ、ラジカセ、電卓、家庭内無線電話機、トランシーバ等にも適用することができる。
【００６９】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００７０】
１０・・・カメラ、１１・・・制御部（ＣＰＵ）、１１ａ・・・振動検出部、１１ｂ・・・発音制御部、１１ｃ・・・状態パラメータ検出部、１２・・・プログラム／データ記憶部、１３・・・操作部、１３ａ・・・レリーズ釦、１３ｂ・・・メニュー釦、１３ｃ・・・ＯＫ釦、１４・・・加速度センサ、１５・・・発音処理部、１６・・・スピーカ、２０・・・撮像部、２１・・・ＳＤＲＡＭ、２２・・・画像処理部、２３・・・圧縮伸張部、２４・・・記録再生部、２５・・・画像記憶部、２６・・・表示処理部、２７・・・表示部、３０・・・バス
【図１】
2011172033.tif 000003
【図２】
2011172033.tif 000004
【図３】
2011172033.tif 000005
【図４】
2011172033.tif 000006
【図５】
2011172033.tif 000007
【図６】
2011172033.tif 000008
【図７】
2011172033.tif 000009
【図８】
2011172033.tif 000010